(57)【要約】【課題】収納する物品の変更や、用途変更、部屋の模様替え、利用者の好みなど、様々な事情に応じて容易に収納部の配置変更や取り替えができるようにした物品収納装置を提供すること。【解決手段】支柱と、該支柱に取り付けられ、物品を収納するための収納具とを備え、前記支柱は、伸縮自在となされると共に、上下方向に相対向する二つの面の間にその上下端を突っ張らせるようにして固定可能となされ、前記収納具は、前記支柱を挿通すると共に上下位置を調節可能に取り付けられた取付部と、該取付部に着脱自在となされ、物品を収納する収納部とを備えているようにした。【選択図】  図１
2012157583.tif 000002
【特許請求の範囲】
【請求項１】
支柱と、該支柱に取り付けられ、物品を収納するための収納具とを備え、
前記支柱は、伸縮自在となされると共に、上下方向に相対向する二つの面の間にその上下端を突っ張らせるようにして固定可能となされ、
前記収納具は、前記支柱を挿通すると共に上下位置を調節可能に取り付けられた取付部と、該取付部に着脱自在となされ、物品を収納する収納部とを備えている
ことを特徴とする物品収納装置。
【請求項２】
予め任意の形態を備えて複数の収納部が用意され、
該複数の収納部は、いずれも同一の取付部に取り付け可能な共通した形態の嵌合部を備えており、
前記複数の収納部から任意の収納部を選択して取付部に取り付けることを可能としたことを特徴とする請求項１記載の物品収納装置。
【請求項３】
収納部は、その上面に凹部が形成された受け皿状となされたことを特徴とする請求項１又は２記載の物品収納装置。
【請求項４】
収納部は、
その上面に凹部が形成され受け皿状となされた第一収納部と、
該第一収納部の上方に配され、上下に挿通する挿通孔が形成された第二収納部との組み合わせにより成り、
収納する物品を第二収納部に形成された挿通孔へ上方から挿通させ、該物品の下端部を第一収納部の凹部に載置するようにして物品を収納できる長物収納部となされたことを特徴とする請求項１乃至３のいずれかに記載の物品収納装置。
【発明の詳細な説明】
【技術分野】
【０００１】
本発明は、様々な小物や調味料、その他生活用品などを整理して収納するための収納装置に関するものであり、より詳しくは、室内の床面と天井との間など、上下方向に相対向する面の間に突っ張らせるようにして立設した支柱に収納具を取り付けて様々な物品を収納できるようにした物品収納装置に関するものである。
【背景技術】
【０００２】
従来から、室内の床面と天井との間などに突っ張らせるようにして支柱を立設するとともに、当該支柱を挿通するようにしてフックや収納台などの収納具を取り付け、このフックに衣類や小物などを引っ掛け、あるいは収納台に物品を載置するなどして様々な物品を整理して収納する物品収納装置があった（例えば、下記特許文献１参照）。
【先行技術文献】
【特許文献】
【０００３】
【特許文献１】実開平５−８６２７３号公報
【発明の概要】
【発明が解決しようとする課題】
【０００４】
しかしながら、上記のような従来の物品収納装置においては、用途変更や部屋の模様替えなどに応じて複数の収納具の上下位置を入れ替える場合や、収納具を取り替える場合には、全ての収納物品を降ろすとともに、支柱を一旦取り外してから、収納具の付け替えを行わなければならなかった。それゆえ、収納具の付け替えには多くの作業を必要とし、当該作業は非常に面倒なものとなっていた。
【０００５】
この点、上記従来の物品収納装置における収納具は、当該収納具に形成された支柱挿通部に支柱を挿通させるようにして該支柱に取り付けられることによって、安定的に支柱へ取り付けられ、かつ、収納具を支柱に対して上下方向にスライドさせて移動させることにより、収納具の取り付け位置（高さ位置）の変更を容易に行うことができるようになされたものである。しかしながら、上述のとおり、複数の収納具の上下位置関係を変更する場合や、収納具を取り替える場合には非常に面倒な作業が必要とされていた。
【０００６】
本発明は、上記のような問題点を克服するためになされたものであり、用途変更や、部屋の模様替えなど、利用者の事情に応じて容易に収納具の配置変更や取り替えができるようにした物品収納装置を提供することを目的とする。
【課題を解決するための手段】
【０００７】
上記の課題を解決するため、本発明に係る物品収納装置は、支柱と、該支柱に取り付けられ、物品を収納するための収納具とを備え、前記支柱は、伸縮自在となされると共に、上下方向に相対向する二つの面の間にその上下端を突っ張らせるようにして固定可能となされ、前記収納具は、前記支柱を挿通すると共に上下位置を調節可能に取り付けられた取付部と、該取付部に着脱自在となされ、物品を収納する収納部とを備えていることを特徴とする。
【０００８】
本発明に係る物品収納装置によれば、取付部に着脱自在に取り付けられた収納部を付け替えるだけで、容易に収納具の取り替えができる。このとき、一旦立設した支柱を取り外す必要もないので、収納具の取り替え作業が非常に容易なものとなる。
【０００９】
また、本発明に係る物品収納装置において、予め任意の形態を備えて複数の収納部が用意され、該複数の収納部は、いずれも同一の取付部に取り付け可能な共通した形態の嵌合部を備えており、前記複数の収納部から任意の収納部を選択して取付部に取り付けることを可能とすることができる。このようにすれば、予め用意された収納部の中から任意の収納部を選択して付け替えるだけで、容易に収納部のレイアウト変更が可能となる。
【００１０】
さらに、本発明に係る物品収納装置において、収納部は、その上面に凹部が形成された受け皿状とすることもできる。このようにすれば、転がり易い物品や、見失い易い小さな物品なども好適に収納することが可能となる。
【００１１】
また、本発明に係る物品収納装置において、収納部は、その上面に凹部が形成され受け皿状となされた第一収納部と、該第一収納部の上方に配され、上下に挿通する挿通孔が形成された第二収納部との組み合わせにより成り、収納する物品を第二収納部に形成された挿通孔へ上方から挿通させ、該物品の下端部を第一収納部の凹部に載置するようにして物品を収納できる長物収納部となされるようにしてもよい。
【００１２】
このようにすれば、例えば菜箸やハサミ、ペン、ものさしなどの縦長の物品を好適に収納でき、また第一収納部と第二収納部との間隔を適宜調整して拡げることによって、傘や杖などのより長尺の物品を好適に収納することが可能となる。
【発明の効果】
【００１３】
以上のとおり、本発明に係る物品収納装置によれば、取付部に着脱自在に取り付けられた収納部を付け替えるだけで、容易に収納具の取り替えができる。このとき、一旦立設した支柱を取り外す必要もないので、収納具の取り替え作業が非常に容易なものとなる。よって、用途変更や部屋の模様替えなど、利用者の事情に応じて容易に収納部の配置変更や取り替えが可能となる。
【図面の簡単な説明】
【００１４】
【図１】本発明に係る物品収納装置の一実施形態を示す斜視図である。
【図２】図１に示した物品収納装置の（ア）は左側面図、（イ）は正面図、（ウ）は右側面図、（エ）は平面図である。
【図３】図１に示した物品収納装置の支柱の側断面図（部分断面図）であり、（ア）はその全体図、（イ）及び（ウ）はその一部拡大図である。
【図４】本発明に係る物品収納装置における取付部の一実施形態を示す斜視図である。
【図５】図４に示した取付部の（ア）は平面図、（イ）は左側面図、（ウ）は（ア）におけるＡ−Ａ線間断面図である。
【図６】本発明に係る物品収納装置における収納部の一実施形態を示す斜視図である。
【図７】図６に示した収納部の（ア）は平面図、（イ）は底面図、（ウ）は左側面図、（エ）は（ア）におけるＢ−Ｂ線間断面図、（オ）は（ウ）におけるＣ−Ｃ線間の水平断面図である。
【図８】図４に示した取付部および図６に示した収納部を支柱に取り付ける様子を示す説明図である。
【図９】（ア）は図８において収納具を支柱に取り付ける様子を示した説明図の側断面図であり、（イ）は取り付けた後の状態における取り付け箇所の側断面図である。
【図１０】図４に示した取付部および図６に示した収納部を、更にスペーサを用いて支柱に取り付ける様子を示す説明図である。
【図１１】（ア）は図１０において収納具を支柱に取り付ける様子を示した説明図の側断面図であり、（イ）は取り付けた後の状態における取り付け箇所の側断面図である。
【図１２】本発明に係る物品収納装置における収納部（長物収納部）の一実施形態を示す斜視図であり、支柱に取り付けた状態を示す図である。
【図１３】図１２に示した長物収納部における第二収納部を示す斜視図である。
【図１４】図１３に示した第二収納部の（ア）は底面図、（イ）は左側面図、（ウ）は（ア）におけるＤ−Ｄ線間断面図である。
【図１５】図１２に示した長物収納部を支柱に取り付ける様子を示す説明図である。
【発明を実施するための形態】
【００１５】
以下、本発明を実施するための形態を、図面に基づいて詳細に説明する。
【００１６】
図１は、本発明に係る物品収納装置の一実施形態を示す斜視図である。図１に示すように、この実施形態における物品収納装置１は、支柱２と、該支柱２に取り付けられた４つの収納具３および１つの収納具（長物収納具）４とにより構成される。
【００１７】
この物品収納装置１は、長さ調節の自在な支柱２を室内や玄関周りにおける床面と天井との間や室内に置かれたデスクの天板と天井との間、キッチンの流し台と天井との間など、上下に相対向する面間に突っ張らせるようにして立設し、その上で、支柱２に取り付けられた収納具３や長物収納具４に様々な物品を収納できるようにしたものである。
【００１８】
収納具３には、室内にある様々な小物や生活雑貨などを収納でき、また、デスク周りでは文具などを収納できる。さらに、キッチンにおいては調理器具や調味料などを整理して収納することが可能である。或いは、観葉植物などを植えた植木鉢を載せて飾るなどして、インテリア的に使用することも可能である。また、長物収納具４には、長尺の物品を立てて収納することが可能である。
以下、これらの詳細な構成について順に説明する。
【００１９】
図１〜３に示すように、支柱２は、合成樹脂被覆した金属製パイプにより形成される円筒形状の上側支柱体２１と、同じく合成樹脂被覆した金属製パイプにより形成され上側支柱体２１内に嵌挿される円筒形状の下側支柱体２２と、上側支柱体２１と下側支柱体２２とを接続するソケット２３とを備えている。ソケット２３は、略円筒形状であって、上側支柱体２１の下端部に固着されている。ソケット２３の側壁には、外表面側から内周面へ挿通するねじ溝２３１ａを有するねじ孔２３１が形成されており、下側支柱体２２を上側支柱体２１内に嵌挿し、適宜支柱２の長さ調整をした状態でねじ孔２３１にネジＮを螺合して締め付けることにより、螺合されたネジＮの先端部が下側支柱体２２の外周面を押圧して、下側支柱体２２を上側支柱体２１に固定することができるようになされている。このような構成によって、支柱２の全長を任意に調整し、支柱２の上下端部がそれぞれ例えば室内の天井とデスクの天板のような上下に相対向する面を押圧するようにして支柱２を立設させ、固定することにより、様々な場所に支柱２を安定的に立設することができるものとなされている。
【００２０】
また、当該支柱２の上下端には、それぞれ端部キャップ２４、２５が被せられており、これにより上下の相対向する面に当接する面積を大きくして、支柱２が倒れ難いようになされている。
【００２１】
さらに、この実施形態においては、下側支柱体２２の下端部にはジャッキ機構２６が設けられている。このジャッキ機構２６は、下側支柱体２２の下端部に嵌着されたネジ孔付きキャップ２７と、該ネジ孔付きキャップ２７と端部キャップ２５との間に配された回転子２８とを備えている。
【００２２】
ネジ孔付きキャップ２７は、上下方向に開口すると共にネジ溝が形成されたネジ孔２７２ａを備えている。回転子２８は、外形が略円柱形状となされた回転子本体２８１と、回転子本体２８１の上面から上方へ向けて突出するネジ部２８２ａとを備え、更に、回転子本体２８１の外周面から水平方向に突出して形成された複数のレバー部２８１ａを備えている。このネジ部２８２ａはネジ孔付きキャップ２７のネジ孔２７２ａに螺合可能となされている。
【００２３】
また、回転子本体２８１の下端部は、端部キャップ２５の上面に形成され上方へ開口する円筒状の空洞部内に挿入され、同空洞部内で水平回転可能となされている。すなわち、レバー部２８１ａを掴んで回転子本体２８１をその外周方向へ回動させることにより、回転子２８を水平回転させることができるようになされ、この水平回転によってネジ部２８２ａをネジ孔２７２ａに螺入あるいはその逆の動作を行うことにより、支柱２の全長を短くしたり長くしたりすることができる。
【００２４】
そして、この回転子２８を利用することで、より安定的に支柱２を立設することができる。すなわち、先ずはじめに支柱２を立設する前に予めネジ部２８２ａをネジ孔２７２ａに螺入しておく。このとき、ネジ部２８２ａをその最奥部までネジ孔２７２ａに螺入しておくのが好ましい。また、言うまでもなく、このとき上側支柱体２１の上端部および回転子２８の下端部には、それぞれ端部キャップ２４、２５を被せておく。その上で、上述のように下側支柱体２２を上側支柱体２１内に嵌挿し、適宜支柱２の全長を調整して支柱の上下端部が各々室内の天井と床面のような上下に相対向する面を押圧するような状態でソケット２３のねじ孔２３１にネジＮを螺合して締め付けることにより、支柱２を上下に相対向する面間に突っ張らせるようにして立設させる。そして、その状態で更に回転子２８をネジ部２８２ａの螺入とは逆の方向へ回転させる。このようにすれば、支柱２の上下端部がその当接面（上下に相対向する面）を強く押圧するので、支柱２をより安定的に立設させることができる。
【００２５】
尚、上記端部キャップ２４、２５は、この実施形態においてはＡＢＳ樹脂により形成されたものであるが、これに限られるものではない。また、上記ネジ孔付きキャップ２７は、この実施形態においてはＡＢＳ樹脂製のキャップ本体２７１内にネジ孔２７２ａを有する六角ナット２７２を埋設させて形成されたものであり、更に、回転子２８についても、この実施形態においてはＡＢＳ樹脂製の回転子本体２８１に金属製のネジ体２８２を埋設させて形成されたものであるが、この形態に限られるものではなく、任意の材料、部材を適宜選択して形成することが可能なものである。
【００２６】
次に、収納具３およびその取り付け方法について説明する。図４〜図７は、収納具３を構成する取付部５と収納部６の一実施形態を示すものであり、図８及び図９は、これを支柱２に取り付ける様子を示した説明図である。
【００２７】
収納具３は、取付部５と収納部６とにより構成される。取付部５は、図８及び図９に示すように、Ｏリング７１を用いて支柱２の任意の高さ位置に固定可能なものである。また、収納部６は当該取付部５に着脱自在となされている。
【００２８】
取付部５は、図４及び図５に示すように、上下に開口してその内部に支柱２を挿通可能な略円筒形状の挿通部５１と、該挿通部５１と一体に形成され収納部６の嵌合部６２（後述）が嵌合されて取り付けられるようになされた収納部取付部５２とを備えている。
【００２９】
収納部取付部５２は、挿通部５１の背面に突出した突出片５２１と、該突出片５２１の左右に形成された一対の嵌挿凸条５２２、５２２とを備えている。嵌挿凸条５２２、５２２は、図４及び図５に示すように、突出片５２１の左右側壁面から水平方向に突設されたものであり、かつその水平断面形状が略Ｔ字形状であって、上下方向に延びるものとなされている。
【００３０】
また、挿通部５１の内周は、ほぼ支柱２の外周面に沿うような形状となされている。すなわち、図４〜５に示すように、挿通部５１内は略円柱形状の空洞部５１１となっており、その内径は支柱２の外径とほぼ同じか僅かに大きい寸法となされている。更に、挿通部５１の下端部近傍においては、下方に向かうにつれ徐々に拡径する（上方へ向うにつれ徐々に縮径する）斜面状ないしテーパー状の傾斜面５１２ａが形成された拡径部５１２を備えている。
【００３１】
また、この実施形態においては、図８に示すように、取付部５を支柱２に取り付け固定するには、ゴムなどの弾性部材により形成されたＯリング７１を用いている。このＯリング７１は、その内径が支柱の外径よりも小さいものであることが好ましい。このＯリング７１を予め支柱２に嵌挿させ、これを取付部５及び収納部６を取り付けたい高さ位置に係止させる。そして、同じく支柱２に嵌挿させた取付部５をＯリング７１の上方から、被せるように嵌着させる。すなわち、Ｏリングを取付部５の拡径部５１２に収容するようにして取付部５を嵌着させる。このとき、取付部５の傾斜面５１２ａにおける内径は、上方へ向かって縮径されているため、取付部５を嵌着させてゆくとＯリング７１は傾斜面５１２ａによって支柱２の方向（Ｏリング７１の半径方向かつ内側方向）へ押圧される。そうすると、Ｏリング７１は強く支柱２の周囲に締結されるので、下方へ滑り落ちることがなくなり、これによって取付部５も下方へすべり落ちることなく所望の高さ位置に取り付けられ固定されることとなる。
【００３２】
図６及び図７は、取付部５に取り付けられる収納部６の一実施形態を示すものである。この実施形態における収納部６は、略円筒状の側壁部６１と底面板６２とが一体に形成されることにより中央上面に凹部６３が形成された受け皿状となされている。また、収納部６の背面側はその一部が平面視略Ｕ字状に切り欠かれ、取付部５に嵌合される嵌合部６４が形成されている。
【００３３】
さらに、この嵌合部６４は、取付部５における挿通部５１の外周面に嵌合する挿通部嵌合部６４１と、取付部５における突出片５２１の周囲に配されると共に背面方向に向かって開口する連通部６４２と、取付部５における嵌挿凸条５２２が嵌挿される嵌挿溝６４３とを備えている。
【００３４】
挿通部嵌合部６４１内の空洞部６４１ａは、図７（エ）に示すように、その内径が下方に向かって徐々に拡径する円錐台形状となされている。また、これと嵌合する取付部５の挿通部５１は、図４及び図５（イ）（ウ）に示されているように、その外周面における外径が下方に向かって拡径する円錐台形状となされている。挿通部嵌合部６４１の上端部の内径および下端部の内径は、それぞれ挿通部５１の上端部の外径および下端部の外径と略同一寸法となされている。
【００３５】
これにより、挿通部嵌合部６４１を上方から挿通部５１に嵌合させると、挿通部嵌合部６４１の上端面と挿通部５１の上端面とが略面一となる状態で、収納部６は取付部５に係止される。
【００３６】
また、嵌挿溝６４３の空洞部６４３ａは、取付部５の嵌挿凸条５２２と略同一形状であって、該嵌挿凸条５２２を嵌挿可能な形状および寸法となされている。すなわち、嵌挿溝６４３の空洞部６４３ａは、水平断面において略Ｔ字状に切り欠かれた空洞が上下方向に延びるようにして形成されている。また、嵌挿溝６４３の下端部は下方へ開口する一方、上端部は、天井部６４３ｂによって上方へは開口せず閉鎖されている。尚、取付部５に形成された嵌挿凸条５２２は、天井部６４３ｂの厚み（高さ寸法）分だけ取付部５（突出片５２１）の上端面より下がった位置から下方に延びるように形成されている。これにより、嵌挿溝６４３に嵌挿凸条５２２を嵌挿させるようにして上方から収納部６を取付部５に嵌着させると、突出片５２１の上端面と連通部６４２の上端面とが略面一になる状態で、収納部６は取付部５に嵌着され係止される。
【００３７】
以上のように、先ずＯリング７１を用いて支柱２の所定高さ位置に取り付けた取付部５（図８の矢印Ｘ）に対し、その上方から収納部６の嵌合部６４を嵌合ないし嵌着させる（図８の矢印Ｙ）ことによって、収納部６は支柱２の所定高さ位置に取り付けられ係止されるものとなされている。
【００３８】
このようにして支柱２に取り付けられた取付部５および収納部６により収納具３が形成されるので、所望の高さ位置に収納具３を配することができ、物品の種類や大きさに応じて、また利用者の好みに応じて収納具３のレイアウトを変更して収納部６に様々な物品を収納することができる。
【００３９】
尚、この実施形態においては、収納部６は平面視円形の受け皿状となされているが、この形態に限られるものではない。円形のみならず、三角形、四角形、その他任意の形状としてもよく、側壁部６１の高さ寸法も任意の寸法としてよい（側壁を設けないものとしてもよい）。また、底面板６２は、板状のものに限られず、メッシュ状のもの、凹凸形状を有するものなど、任意の形態のものを選択して用いることができるものである。更に、複数の収納部６は、それぞれ形状や寸法の異なる収納部６であってもよく、それらを組み合わせて用いるようにすることもできる。
【００４０】
ここで、取付部５の全体形態に関係なく、その収納部取付部５２は全て同じ形態かつ同一寸法のものであるのが好ましい。また、収納部６についても、その全体の形態に関係なくその嵌合部６４も全て同じ形態かつ同一寸法を備えているのが好ましい。これによって、様々な形態の収納部６を任意の位置の取付部５に取り付けることができる。したがって、収納部６の位置を容易に変えることができ、レイアウトの変更が短時間かつ簡単な動作によって可能となる。
【００４１】
また、上述した取付部５及び収納部６は、この実施形態においてはいずれもポリプロピレンにより作製されたものであるが、これに限られるものではない。ポリプロピレンと同様に成形可能であって所定の強度を備えていれば他の樹脂材料、金属材料、木材、その他任意の材料を適宜選択して用いることが可能である。
【００４２】
ところで、この実施形態においては、上側支柱体２１と下側支柱体２２とでは、その外径寸法が異なる（下側支柱体２２の外径の方が、上側支柱体２１のそれよりも小さい）が、上述の通り、図４〜５に示した取付部５の挿通部５１の内径は、上側支柱体２１の外径とほぼ同じか僅かに大きい寸法となされている。上側支柱体２１よりも外径の小さい下側支柱体２２に取付部５を取り付けるには、挿通部５１の内径の小さい取付部５を別途作るようにしてもよいが、図１０〜１１に示すような略円筒形状のスペーサ７２を準備して、これにより下側支柱体２２の外周面と取付部５の挿通部５１の内周面との間の隙間を埋めるようにしてもよい。
【００４３】
このスペーサ７２は、図１０及び図１１に示すように、略円筒形状を備えており、また取付部５の挿通部５１と同様、円柱状の空洞部７２１の下端部近傍における内径が下方へ向かって徐々に拡径されて拡径部７２２が形成されている。これにより、取付部５の下端部と同じように、その拡径された拡径部７２２の内周部分へＯリング７１を受け入れることが可能となされている。
【００４４】
このスペーサを用いることによって、図１０〜１１に示すように、先ずＯリング７１を支柱２の所定高さ位置に係止させ、このＯリングの上方からスペーサ７２（の拡径部７２２）を嵌着させたのち（図１０の矢印Ｘ）、続いてスペーサ７２の上方から取付部５を嵌着させ（図１０の矢印Ｙ）、更に、その上方から収納部６の嵌合部６４を嵌合ないし嵌着させる（図８の矢印Ｚ）ことによって、収納部６は支柱２（下側支柱体２２）の所定高さ位置に取り付けられ係止されるものとなされている。
【００４５】
図１２は、例えばハサミやペン、ものさしなどの縦長の物品を収納するための長物収納具４の一実施形態を示す図であり、これを支柱２に取り付けた状態を示している。また、図１５は、長物収納具４を支柱２に取り付ける様子を示した説明図である。
【００４６】
この実施形態における長物収納具４は、第一収納部８１及び第二収納部８２により構成される長物収納部８と、当該第一収納部８１及び第二収納部８２を支柱２へ取り付けるための取付部５、５とを備えてなるものである（尚、言うまでもなく、この取付部５、５は、収納部６を取り付けるのに用いた既述の取付部５と共通の部材である）。
【００４７】
図１２に示すように、この実施形態における長物収納部８は、上下方向に所定の間隔を空け、それぞれ取付部を介して支柱２に取り付けられた第一収納部８１および第一収納部８１の上方に位置する第二収納部８２よりなるものである。この実施形態においては、第一収納部８１として、前記収納部６と同一の形態のものを利用している。また、第二収納部８２は、図１２〜図１５に示すように、第一収納部８１の側壁部８１１とほぼ同一の形態・寸法を有する略円筒状の側壁部８２１の内側に平面視葉脈形状の内枠８２２が形成されてなるものであって、当該葉脈形状の内枠８２２によって仕切られ上下に挿通する挿通孔８２３が複数形成されている。これにより、収納すべき物品を第二収納部８２の上方から挿通孔８２３に挿通させ、当該物品の下端部を第一収納部８１の底面板８１２上に載置するようにして物品を収納することができる。
【００４８】
第一収納部８１及び第二収納部８２は、いずれも収納部６と同様、その背面側の一部が平面視略Ｕ字状に切り欠かれ、取付部５に嵌合される嵌合部８１４、８２４が形成されている。この嵌合部８１４、８２４は、いずれも収納部６における嵌合部６４と同様の形態を備えていて、収納部６と同様の構造および方法によって取付部５に嵌合させ取り付けることが可能であり、これにより第一収納部８１及び第二収納部８２は、取付部５を介して支柱２の所望の高さ位置に取り付けられる。
【００４９】
尚、この実施形態においては、第一収納部８１及び第二収納部８２はその外形が平面視円形状となされているが、この形態に限られるものではない。円形のみならず、三角形、四角形、その他任意の形状としてもよく、また、様々な異なる形状のものを組み合わせて用いるようにしてもよい。
【００５０】
さらに、図１２に示すように、この実施形態においては、第一収納部８１の凹部８１３内には、平面視葉脈形状であって第一収納部８１の側壁部８１１の高さ寸法未満の高さ寸法を有する仕切材８５が配されている。第一収納部８１の凹部８１３内にこの葉脈状仕切材８５を備えることにより、収納する物品の下端部が第一収納部８１の底面板８１２上を水平方向に大きく滑るのを防止できる。
【００５１】
尚、上記内枠８２２及び仕切材８５は、葉脈形状に限定されるものではない。内枠８２２は、収納すべき物品を挿通可能な挿通孔８２３が形成できれば任意の形状としてよく、また収納すべき物品の種類や寸法に応じて挿通孔を所望の大きさとすることが可能である。また、仕切材８５についても、収納する物品の下端部が第一収納部８１の底面板８１２上を水平方向に大きく滑るのを防止できるものであればよく、任意の形状とすることができるものである。さらに、この仕切材８５は、この実施形態においては第一収納部８１とは別体として作製されたものであるが、第一収納部と一体的に形成されたものであってもよい。
【００５２】
また、図１２及び図１５に示すように、長物収納部８は、第二収納部８２の葉脈形状の内枠８２２と第一収納部８１の凹部８１３内に配された葉脈状仕切材８５とを接続する接続杆８６を備えている。接続杆８６は、直線状の棒状体８６１の両先端部に先端方向へ向かって二股に分岐した二股形状部８６２を備えており、この両二股形状部８６２、８６２がそれぞれ第二収納部８２の葉脈形状の内枠８２２と仕切材８５の一部を挟持するようにして、これらを接続するようにしたものである。この接続杆８６を備えることにより、第一収納部８１または第二収納部８２が支柱２の円筒軸中心を中心に水平方向へ回動するのを妨げて、第二収納部８２が常に第一収納部８１の真上にあるように、その位置関係を維持することができる。
【００５３】
尚、この実施形態においては、接続杆８６を上記のような形態としたが、これに限られるものではない。たとえば、接続杆８６は、第二収納部８２の葉脈形状の内枠８２２と仕切材８５とを接続するものに限られず、第一収納部８１の側壁部８１１と第二収納部８２の側壁部８２１とを接続するようにしてもよい。また、接続杆８６の両先端部は上述のような二股形状に限られない。更に、接続杆８６は、一本の棒状体により構成される必要はなく、複数本であってもよいし、あるいは所定の幅寸法を有する板状部材であったり、網状体であったりしてもよい。
【００５４】
また、この接続杆８６に関して、様々な長さ寸法の接続杆８６ものを予め用意しておくようにしてもよい。このようにすれば、これを任意に取り替えることによって、様々な長さ寸法の物品をその長さ寸法に応じて好適に収納することが可能となる。
【００５５】
以上のような構成を備えることにより、長物収納部８には、縦長の物品を好適に収納することができる。尚、第一収納部８１や第二収納部８２、仕切材８５、接続杆８６はいずれも上述の形態に限られるものではなく、任意の形態とすることができる。また、この実施形態における第一収納部８１、第二収納部８２、スペーサ７２、仕切材８５、及び接続杆８６は、上述した取付部５や収納部６と同様、いずれもポリプロピレンにより作製されたものであるが、これに限られるものではない。ポリプロピレンと同様に成形可能であって所定の強度を備えていれば他の樹脂材料、金属材料、木材、その他任意の材料を適宜選択して用いることが可能である。
【００５６】
以上、本発明に係る物品収納装置１について、具体的な実施形態を示して説明したが、本発明は、これらの実施形態に限られるものではなく、本発明の趣旨を逸脱しない範囲で様々に形態等を変更することが可能なものである。
【符号の説明】
【００５７】
１    物品収納具
２    支柱
２１  上側支柱体
２２  下側支柱体
２３  ソケット
２４、２５  端部キャップ
２６  ジャッキ機構
３    収納具
４    長物収納具
５    取付部
５１  挿通部
５２  収納部取付部
６    収納部
６１  側壁部
６２  底面板
６３  凹部
６４  嵌合部
７１  Ｏリング
７２  スペーサ
８    長物収納部
８１  第一収納部
８２  第二収納部
８５  仕切材
８６  接続杆
【図１】
2012157583.tif 000003
【図２】
2012157583.tif 000004
【図３】
2012157583.tif 000005
【図４】
2012157583.tif 000006
【図５】
2012157583.tif 000007
【図６】
2012157583.tif 000008
【図７】
2012157583.tif 000009
【図８】
2012157583.tif 000010
【図９】
2012157583.tif 000011
【図１０】
2012157583.tif 000012
【図１１】
2012157583.tif 000013
【図１２】
2012157583.tif 000014
【図１３】
2012157583.tif 000015
【図１４】
2012157583.tif 000016
【図１５】
2012157583.tif 000017